(57)【要約】【課題】木材表面に塗装された自然塗料の戻りを短時間に防止して、作業性を高める。【解決手段】木材Ａ表面Ａ１に、乾性油又は半乾性油からなる自然塗料Ｂを塗装する第１塗装工程と、上記第１塗装工程から所定時間経過後、上記自然塗料Ｂの塗装面Ｂ１に、少なくともタンパク質を含む水溶液Ｃを更に上塗りする第２塗装工程と、より構成している。【選択図】図１
2004167449.tif 000002
【特許請求の範囲】
【請求項１】
木材表面に、乾性油又は半乾性油からなる自然塗料を塗装する第１塗装工程と、
上記第１塗装工程から所定時間経過後、上記自然塗料の塗装面に、少なくともタンパク質を含む水溶液を更に上塗りする第２塗装工程と、
より構成してなる木材の塗装方法。
【請求項２】
請求項１において、
上記自然塗料には、ベンガラ等の着色顔料を混合してなる木材の塗装方法。
【請求項３】
乾性油又は半乾性油からなる自然塗料に、ベンガラ等の着色顔料を混合してなる第１塗装液材と、
タンパク質を含む水溶液からなる第２塗装液材とを備え、
これら第１塗装液材と第２塗装液材とを、少なくとも同一容器内に収容したことを特徴とする木材用塗装セット。
【発明の詳細な説明】
【０００１】
【発明の属する技術分野】
本発明は、木材表面に自然塗料を塗装するための塗装方法及び木材用塗装セットに関する。
【０００２】
【従来の技術】
木材は、古来から、神社、仏閣、一般家屋等の木造建材の他、タンス、食卓、棚、机等の家具等の材料として広く使用されているが、この木材表面には、日光や空気など外界の影響から木材を保護するとともに、着色や光沢によって美観を与えたり、防虫等のために、塗装が広く行われている。
【０００３】
ここで、塗装とは、塗料を木材表面に塗り広げることをいい、塗布の他、刷毛、ローラー、エアスプレー、ロールコータ、浸漬塗装等を含む意味である。
【０００４】
また、塗料とは、有色、無色を問わず、常温で流動性があり、木材表面に塗り広げて乾燥させることによって付着するものを意味する。
【０００５】
ところで、この塗料には、石油系の化学塗料が一般に使用されているが、最近では、環境問題等の観点から、古来から使用されていた松脂等の自然材料を用いた塗料（以下、「自然塗料」という。）が見直され、この自然塗料を木材表面に塗装することが要望されている。
【０００６】
この自然塗料を木材表面に塗装する方法としては、古くは、木材表面に、上記自然塗料を塗布或いは塗装し、その状態のまま自然乾燥させるものであるが、このような塗装方法が記載された先行技術文献情報を見出すことはできなかった。
【０００７】
【発明が解決しようとする課題】
しかしながら、従来の木材の塗装方法では、木材表面に塗装した自然塗料が乾燥するまでに数時間という長時間を要する問題があった。
【０００８】
すなわち、木材表面に塗装された自然塗料が、完全に乾燥しなければ、その自然塗料が手などに付着すること、いわゆる「戻り」が生じるので、その後の作業を行うことができず、作業性が悪く、施工作業時間が急がれている現代の工法には、そぐわないという問題があった。
【０００９】
本発明は、上記課題を解決することが目的であり、木材表面に塗装された自然塗料の戻りを短時間に防止して、その作業性を高めることのできる木材表面の塗装方法を提供している。
【００１０】
【課題を解決するための手段】
上記課題を解決するため、
請求項１に係る木材の塗装方法は、木材表面に、乾性油又は半乾性油からなる自然塗料を塗装する第１塗装工程と、上記第１塗装工程から所定時間経過後、上記自然塗料の塗装面に、少なくともタンパク質を含む水溶液を更に上塗りする第２塗装工程と、より構成してなる。
【００１１】
ここで、木材には、その表面に塗装される自然塗料が、内部に浸透可能なものの総称に過ぎず、和紙等をも含む意味であるが、反面、木材表面に防水加工を施し、自然塗料が内部に浸透できない合板等は除く意味である。
【００１２】
この方法では、古来から行われていた第１塗装工程後、タンパク質を含む水溶液を更に上塗りする第２塗装工程を実行することによって、木材表面に塗装された自然塗料が、完全に乾燥しなくても、その自然塗料が手などに付着すること、いわゆる戻りを防止できる。
【００１３】
そのため、木材表面に塗装された自然塗料の戻りを短時間で防止でき、その作業性を高めることができる。
【００１４】
請求項２に係る木材の塗装方法は、請求項１において、上記自然塗料には、ベンガラ等の着色顔料を混合してなる。
【００１５】
この方法では、ベンガラ等の着色顔料を混合することで、木材表面に所望の色を塗装できる。
【００１６】
請求項３に係る木材用塗装セットは、乾性油又は半乾性油からなる自然塗料に、ベンガラ等の着色顔料を混合してなる第１塗装液材と、タンパク質を含む水溶液からなる第２塗装液材とを備え、これら第１塗装液材と第２塗装液材とを、少なくとも同一容器内に収容したことを特徴とする。
【００１７】
このものでは、ベンガラ等の着色顔料を自然塗料に混合する手間がなく、しかも、その第１塗装液材を木材表面に塗装した後、第２塗装液材を上塗りするだけで、熟練工でなくても、木材表面に塗装された自然塗料の戻りを短時間で防止でき、その作業性を高めることができる。
【００１８】
【発明の実施の形態】
以下、本発明に係る木材の塗装方法の実施例を図面に基づき説明する。
【００１９】
図１（ａ）〜（ｃ）は、本発明に係る木材の塗装方法による木材表面部分の概略断面図、図２は、本発明に係る木材の塗装方法による施工工程図である。
【００２０】
本発明は、木材Ａの表面Ａ１に、乾性油又は半乾性油からなる自然塗料Ｂを塗装する第１塗装工程と、この第１塗装工程から所定時間経過後、自然塗料Ｂの塗装面Ｂ１に、少なくともタンパク質を含む水溶液Ｃを更に上塗りする第２塗装工程とからなる。
【００２１】
ここで、木材Ａは、その表面Ａ１に塗装される自然塗料Ｂが、内部に浸透可能なものの総称に過ぎず、針葉樹材（松、杉、桧等）、広葉樹材（ぶな、けやき、くす等）や南洋材（チーク、ラワン、マホガニー等）等の木材をはじめ、これらの植物繊維を主原料する繊維板類（ファイバーボード、パーティクルボード等）等の加工材、和紙をも含む広い概念であるが、反面、木材Ａの表面Ａ１に自然塗料Ｂが浸透できない防水加工が施されたような加工板は、対象外である。
【００２２】
また、自然塗料Ｂには、松脂の他、なたね油、ひまわり油等の植物油、コーン油、米油等の穀物油などが使用でき、しかも、食用油として使用されたこれらの廃油を利用することもできる。
【００２３】
上記第１塗装工程は、図１（ａ）及び図２に示すように、まず木材Ａ表面Ａ１に、従来同様、布に乾性油又は半乾性油からなる自然塗料Ｂを含浸させて、これを木材Ａ表面Ａ１に摺り込んで塗布するか、或いは、刷毛、ローラー、エアスプレー、ロールコータ、浸漬塗装等によって自然塗料Ｂを木材Ａ表面Ａ１に塗装する。
【００２４】
また、この自然塗料Ｂには、古来から使用されているベンガラ（酸化第二鉄）等の自然材料で形成された着色顔料を混合しても良く、このような着色顔料を混合することで、塗装された木材Ａは、紫外線や湿度に耐える耐候性、防腐性、防カビ性等を高めることができる。
【００２５】
この第１塗装工程を終了した後、そのまま木材Ａを一定時間、自然乾燥させると、気温等によって変動はあるが、早ければ、２〜３分程度で、木材Ａ表面Ａ１に塗装された自然塗料Ｂは、図１（ｂ）及び図２に示すように、木材Ａ表面Ａ１から内部に浸透される。
【００２６】
ところが、この図１（ｂ）の状態では、木材Ａ表面Ａ１を手で触ると、未だ自然塗料Ｂが、完全に乾燥していないので、自然塗料Ｂが手などに付着する、いわゆる「戻り」が生じ、この状態で作業を進めると、表面Ａ１の塗装が剥げるおそれがあるので、その作業を進めることはできない。
【００２７】
そこで、本発明では、図１（ｃ）及び図２に示すように、木材Ａ表面Ａ１から自然塗料Ｂが内部に浸透された後、その塗装面Ｂ１に、少なくともタンパク質を含む水溶液Ｃを更に上塗りする第２塗装工程を実行する。
【００２８】
上記タンパク質としては、動物性タンパク質、植物性タンパク質の何れであっても使用することができるが、好ましくは、カゼイン、プロテイン、ゼリー等の無臭のものが良い。
【００２９】
この第２塗装工程によって、塗装面Ｂ１と水溶液Ｃが反応し、その戻りが防止されることは、本発明者が実験を通じて確認している事実であるが、その化学的根拠については、現在研究中であるため、本実施例では、実験結果のみを記載している。
【００３０】
なお、自然塗料Ｂに予め水溶液Ｃを混合したものを木材Ａ表面Ａ１に塗装することも考えたが、これでは、自然塗料Ｂと水溶液Ｃが反応した後のものを塗装することとなり、木材Ａ表面Ａ１から自然塗料Ｂ（Ｃ）が内部に浸透し難く、乾燥後には木材Ａ表面Ａ１から自然塗料Ｂ（Ｃ）が容易に剥離するなどの問題を生じてしまい、これを採用することはできない。
【００３１】
このように、本発明に係る木材の塗装方法によれば、第１塗装工程後、タンパク質を含む水溶液Ｃを更に上塗りする第２塗装工程を実行することで、木材Ａ表面Ａ１に塗装された自然塗料Ｂが、完全に乾燥しなくても、その自然塗料Ｂが手などに付着すること、いわゆる戻りを防止できる。
【００３２】
したがって、自然塗料Ｂが完全に乾燥するまでの長時間を待たなくても、木材Ａ表面Ａ１に塗装された自然塗料Ｂの戻りを短時間で防止でき、その後の作業を進めることができ、その作業性を高めることができる。
【００３３】
加えて、古来から使用されてきた自然塗料Ｂを用いているので、人や環境にも優しいうえ、施工作業時間が急がれる現代工法にも十分対応できる。
【００３４】
図３は、本発明に係る木材用塗装セットを示す概略図である。
【００３５】
この木材用塗装セットは、乾性油又は半乾性油からなる自然塗料に、ベンガラ等の着色顔料を混合したものを１つの容器に収容した第１塗装液材１と、タンパク質を含む水溶液を他の１つの容器に収容した第２塗装液材２とを備え、これら第１塗装液材１と第２塗装液材２とを、少なくとも同一容器３内に収容したものを示している。
【００３６】
また、この容器３内には、これら第１塗装液材１や第２塗装液材２を塗装するための塗装具３（刷毛、ローラー等）を収容することもできる。
【００３７】
このような本発明の木材用塗装セットによれば、ベンガラ等の着色顔料を自然塗料に混合する手間がなく、しかも、その第１塗装液材１を木材表面に塗装した後、第２塗装液材を上塗りするだけで、熟練工でなくても、木材表面に塗装された自然塗料の戻りを短時間で防止でき、その作業性を高めることができ、一般家庭や学校教材等として手軽に使用することができる。
【００３８】
【発明の効果】
本発明によれば、次のような効果がある。
【００３９】
請求項１に係る木材の塗装方法によれば、木材表面に塗装された自然塗料の戻りを短時間で防止でき、その作業性を高めることができる。
【００４０】
加えて、古来から使用されてきた自然塗料を用いているので、人や環境にも優しいうえ、施工作業時間が急がれる現代工法にも十分対応できる。
【００４１】
請求項２に係る木材の塗装方法によれば、ベンガラ等の着色顔料を混合することで、木材表面に所望の色を塗装できる。
【００４２】
請求項３に係る木材用塗装キットによれば、ベンガラ等の着色顔料を自然塗料に混合する手間がなく、しかも、その第１塗装液材を木材表面に塗装した後、第２塗装液材を上塗りするだけで、熟練工でなくても、木材表面に塗装された自然塗料の戻りを短時間で防止でき、一般家庭や学校教材等として手軽に使用することができる。
【図面の簡単な説明】
【図１】（ａ）〜（ｃ）は、本発明に係る木材の塗装方法による施工要領を示した木材表面部分の概略断面図
【図２】本発明に係る木材の塗装方法による施工工程図
【図３】本発明に係る木材用塗装セットを示す概略図
【符号の説明】
Ａ      木材
Ａ１    表面
Ｂ      自然塗料
Ｂ１    塗装面
Ｃ      タンパク質を含む水溶液
１      第１塗装液材
２      第２塗装液材
３      容器
【図１】
2004167449.tif 000003
【図２】
2004167449.tif 000004
【図３】
2004167449.tif 000005